(57)【要約】      （修正有）【課題】ユーザの移動中における情報機器が表示するアイコンに対する操作性を向上させる。【解決手段】移動速度が検出されたか否かを判断するＳＢ２０１。移動速度が検出されない場合、つまりリスト端末を装着したユーザが静止している場合には、ホーム画面を表示させるＳＢ２０２。ユーザが移動している場合には、速度センサで検出した速度に応じた大きさでアイコンを拡大表示させるＳＢ２０３。次に、この拡大表示の結果、全体が表示部内に収まらなくなったアイコンを消去する。したがって、ユーザがどのような速度で移動中であっても適切なサイズのアイコンを全体表示することが可能となる。【選択図】図１２
2018014120.tif 000002
【特許請求の範囲】
【請求項１】
携帯可能な情報機器と、この情報機器と無線接続可能な通信端末とを含むネットワークシステムにおいて、
前記情報機器は、
移動速度を検知する移動速度検知手段と、
表示部にプログラムに対応するアイコンを表示させるとともに、前記アイコンの表示を変更制御する表示変更制御手段と、
前記表示部に表示されたアイコンが操作されることによって当該アイコンに対応するプログラムの起動を前記通信端末に指示する起動指示手段と、を備え、
前記通信端末は、前記移動速度に対応してアイコンの表示情報を記憶する対応テーブルを備え、
前記表示変更制御手段は、外部のサーバーから取得したコースと前記検知された移動速度に基づいて、前記対応テーブルから対応するアイコンを選択して、前記コースに適したものとして前記表示部に表示させることを特徴とするネットワークシステム。
【請求項２】
前記情報機器は、腕に装着可能なリスト端末であり、該リスト端末に表示されるアイコンは、前記通信端末に表示されるアイコンの中から選択的に表示されることを特徴とする請求項１に記載のネットワークシステム。
【請求項３】
前記情報機器は、該情報機器のアイコンが指定された頻度を学習し、前記通信端末の対応テーブルに優先順位情報として記憶させる学習手段を更に備えることを特徴とする請求項１又は２に記載のネットワークシステム。
【請求項４】
前記対応テーブルは、マイコースとして予めユーザが優先順位情報を登録しておくことを特徴とする請求項３に記載のネットワークシステム。
【請求項５】
前記表示変更制御手段は、前記移動速度に基づいて、前記対応テーブルから対応するアイコンを選択して前記表示部に表示させ、且つ前記移動速度が高いほどアイコンを拡大して表示させることを特徴とする請求項１乃至４いずれか１項に記載のネットワークシステム。
【請求項６】
アイコンを表示させるとともに、前記アイコンの表示形態を変更制御する表示変更制御手段と、
前記表示されたアイコンを指定することによって対応するプログラムの起動を指示する起動指示手段と、
移動速度を検知する移動速度検知手段と、
移動速度に対応してアイコンの優先順位情報を記憶する対応テーブルと、
を備え、
前記表示変更制御手段は、前記対応テーブルを参照して、外部のサーバーから取得したコースと前記検知された移動速度に応じて前記アイコンの表示を変更して前記コースに適したものとして表示させることを特徴とする情報機器。
【請求項７】
前記表示変更制御手段は、前記アイコンと、そのアイコンのタイトルと、そのアイコンの説明を表示させることを特徴とする請求項６に記載の情報機器。
【請求項８】
前記表示変更制御手段は、前記優先順位情報に基づいて、前記アイコンの表示を変更する際に、前記アイコンと、前記そのアイコンのタイトルを表示させ、前記アイコンの説明の表示を省略することを特徴とする請求項６に記載の情報機器。
【請求項９】
前記表示変更制御手段は、前記優先順位情報に基づいて、前記アイコンの表示を更に変更する際に、前記アイコンと、前記そのアイコンのタイトルを簡略化して表示させることを特徴とする請求項８に記載の情報機器。
【請求項１０】
前記表示変更制御手段は、前記優先順位情報に基づいて、前記アイコンの表示を更に変更する際に、前記アイコンを表示させ、前記そのアイコンのタイトルの表示を省略することを特徴とする請求項９に記載の情報機器。
【請求項１１】
前記アイコンが指定された頻度を学習し、前記対応テーブルに前記優先順位情報として記憶させる学習手段を更に備えることを特徴とする請求項６に記載の情報機器。
【請求項１２】
前記表示変更制御手段は、タイマーインタラプトのタイミングで、前記優先順位情報に基づいて、前記アイコンの表示を変更することを特徴とする請求項６に記載の情報機器。
【請求項１３】
前記表示変更制御手段は、前記対応テーブルを参照して前記検知された移動速度に応じて前記アイコンの表示を変更して表示させ且つ前記移動速度が高いほどアイコンを拡大して表示させることを特徴とする請求項６に記載の情報機器。
【請求項１４】
移動速度を検知する移動速度検知手段と、移動速度に対応してアイコンの表示情報を記憶する対応テーブルとを備えた情報機器が有するコンピュータを、
アイコンを表示させるとともに、前記移動速度検知手段により検知された移動速度に基づいて前記アイコンの表示形態を制御する表示変更制御手段、
前記表示されたアイコンを指定することによって対応するプログラムの起動を指示する起動指示手段、
として機能させ、
前記表示変更制御手段は、前記対応テーブルを参照して、外部のサーバーから取得したコースと前記検知された移動速度に応じて前記アイコンの表示を変更して前記コースに適したものとして表示させることを特徴とするプログラム。
【請求項１５】
前記表示変更制御手段は、前記対応テーブルを参照して前記検知された移動速度に応じて前記アイコンの表示を変更し且つ前記移動速度が高いほどアイコンを拡大して表示させることを特徴とする請求項１４に記載のプログラム。
【請求項１６】
移動速度を検知する移動速度検知手段と、移動速度に対応してアイコンの表示情報を記憶する対応テーブルとを備えた情報機器の表示方法であって、
前記アイコンを表示させるとともに、前記アイコンの表示形態を変更制御する表示変更制御ステップと、
前記表示されたアイコンを指定することによって対応するプログラムの起動を指示する起動指示ステップと、
を備え、
前記表示変更制御ステップは、前記対応テーブルを参照して、外部のサーバーから取得したコースと前記検知された移動速度に応じて前記アイコンの表示を前記コースに適したものとして変更し且つ前記移動速度が高いほどアイコンを拡大して表示させるステップを含むことを特徴とする表示方法。
【請求項１７】
前記表示変更制御ステップは、前記対応テーブルを参照して前記検知された移動速度に応じて前記アイコンの表示を変更し且つ前記移動速度が高いほどアイコンを拡大して表示させることを特徴とする請求項１６に記載の表示方法。
【発明の詳細な説明】
【技術分野】
【０００１】
本発明は、携帯して使用するタイプの情報機器を含んで構成されるネットワークシステム、情報機器、表示方法並びにプログラムに関する。
【背景技術】
【０００２】
従来から、腕にトレーニング用の腕時計型端末を装着して、コース情報や記録情報を取得してトレーニングに生かす技術が知られている（例えば、特許文献１参照）。
また、トレーニング情報を会員制のサーバーにアップして、トレーニング情報を会員間で共有し、応援や情報交換を行うＳＮＳシステムも知られている（例えば、特許文献２参照）。
【０００３】
他方、一般に情報機器の表示画面には各種アイコンやメニューが表示され、アイコンや文字の大きさをカスタマイズすることができる。
【先行技術文献】
【特許文献】
【０００４】
【特許文献１】特表２０１２−５２４６４０号公報
【特許文献２】特表２０１１−５１６２１０号公報
【発明の概要】
【発明が解決しようとする課題】
【０００５】
上述した従来の身体装着型情報機器では、複数のプログラムを実行することができ、そのプログラムを起動させるためのアイコンを表示するものがある。一般的に一画面に表示するアイコンの数は複数個で固定であり、静止中にゆっくり操作する場合は良いが、通勤時や通学時等の目的地に徒歩で向かう単なる移動中や、ウォーキングやランニング等のトレーニングを伴う移動中（以下、これらを総称して単に移動中という）、アイコンが見にくくなり操作しにくいという課題があった。すなわち、情報機器のアイコンの表示サイズはカスタマイズできるが、移動中の見やすさを考慮したものはなかった。
【０００６】
本発明はこのような課題を解決するためになされたものであり、情報機器が表示するアイコンに対するユーザの移動中における操作性を向上させるネットワークシステム、情報機器、表示方法並びにプログラムを提供することを目的とする。
【課題を解決するための手段】
【０００７】
前記課題を解決するため、請求項１記載の発明は、
携帯可能な情報機器と、この情報機器と無線接続可能な通信端末とを含むネットワークシステムにおいて、
前記情報機器は、
移動速度を検知する移動速度検知手段と、
表示部にプログラムに対応するアイコンを表示させるとともに、前記アイコンの表示を変更制御する表示変更制御手段と、
前記表示部に表示されたアイコンが操作されることによって当該アイコンに対応するプログラムの起動を前記通信端末に指示する起動指示手段と、
を備え、
前記通信端末は、前記移動速度に対応してアイコンの表示情報を記憶する対応テーブルを備え、
前記表示変更制御手段は、外部のサーバーから取得したコースと前記検知された移動速度に基づいて、前記対応テーブルから対応するアイコンを選択して、前記コースに適したものとして前記表示部に表示させることを特徴とするネットワークシステムである。
【発明の効果】
【０００８】
本発明によれば、情報機器が表示するアイコンに対するユーザの移動中における操作性を向上させることが可能となる。
【図面の簡単な説明】
【０００９】
【図１】本発明の一実施の形態に係るネットワークシステムのシステム構成図である。
【図２】実施の形態のスマートフォンとリスト端末を示すブロック図であるとともに、ペアリング処理の時系列的な説明図である。
【図３】実施の形態のスマートフォンの回路構成を示す概略ブロック図である。
【図４】実施の形態のリスト端末の回路構成を示す概略ブロック図である。
【図５】実施の形態のサーバーの回路構成を示す概略ブロック図である。
【図６】実施の形態の優先度テーブルを示す概念図である。
【図７】実施の形態のスマートフォンとリスト端末との動作示すフローチャートである。
【図８】実施の形態のスマートフォンとリスト端末とのペアリング処理を示すフローチャートである。
【図９】実施の形態のリスト端末の表示部における表示遷移図の一例を示すものである。
【図１０】本発明の第１の実施の形態におけるタイマーインタラプトルーチンを示すフローチャートである。
【図１１】第１の実施の形態における他の例を示す表示遷移図である。
【図１２】本発明の第２の実施の形態におけるタイマーインタラプトルーチンを示すフローチャートである。
【図１３】本発明の第３の実施の形態におけるタイマーインタラプトルーチンを示すフローチャートである。
【図１４】第３の実施の形態のリスト端末の表示部における表示遷移図である。
【発明を実施するための形態】
【００１０】
以下、本発明の実施の形態について図面を参照して説明する。
図１は、本実施の形態に係るネットワークシステムの全体構成を示すブロック図である。
【００１１】
サーバー１１を含むＳＮＳサイト１０は、インターネット５００を介して会員のスマートフォン１−１、１−２、１−３、・・・(以下、複数のスマートフォンを総称してスマートフォン１と表記する)、リスト端末２−１、２−２、２−３・・・(以下、複数のリスト端末を総称してリスト端末２と表記する)及びＰＣ（Personal Computer）３−１(以下、複数のＰＣを総称してＰＣ３と表記する)と接続される。また、リスト端末２は腕に装着可能な腕時計型の形状をしており、スマートフォン１と無線で接続可能である。スマートフォン１は、アプリケーションプログラムをインストールして、ＳＮＳサイト１０との連携を図る動作をする。また、リスト端末２にも比較的軽いアプリケーションプログラムをインストールしてスマートフォン１との連携を図るように動作する。また、リスト端末２とサーバー１１を直接接続して、スマートフォン１を経由しなくても情報交換ができるルートも用意されている。
【００１２】
図２は、スマートフォン１、及びこのスマートフォン１とブルートゥース（登録商標）（Ｂｌｕｅｔｏｏｔｈ（登録商標））等の近距離無線通信で無線接続されてデータ交換が可能なリスト端末２との接続状態を示す平面図である。
スマートフォン１は、動作モードとしてスリープモードが設けられているとともに、セキュリティロック機能を有するものである。なお、本実施形態のセキュリティロック機能も、スリープモードに移行した状態でホーム画面を表示させる際にパスワード等の入力を必要とすることにより、各種のアプリケーションプログラムの起動、及び通話（１１０番通話等の例外を除く）を含めた全ての機能の使用を制限する一般的な機能である。
【００１３】
図示のようにスマートフォン１は、縦長上の装置本体１０１と、この装置本体１０１上に配置された同様に縦長上の表示部１０２及びタッチパネル１０３とを有している。リスト端末２は、人体の手首に装着可能な腕時計型であり、ケース２０１と、このケース２０１上に配置された表示部２０２とタッチパネル２０３、及びケース２０１の両端部に装着されたリストバンド２０４とで構成されている。
【００１４】
図３は、スマートフォン１の回路構成を示す概略ブロック図である。１０２は、前記表示部であり、前述のように配置されたＬＣＤと、これを駆動する駆動回路等から構成されている。１０４は、表示制御部であり表示部１０２の表示状態を制御する。１０５は、入力部であり、各種キーやスイッチを有して構成されており、また、前記タッチパネル１０３も含まれる。
【００１５】
１０６は、ＣＰＵであり、スマートフォン１全体を制御する。１０７はプログラムメモリであり、制御プログラム１０７１及び、ペアリングプログラム１０７２が予め記憶されているとともに、各種のアプリケーションプログラム１０７３等が記憶されている。これら各種のアプリケーションプログラム１０７３には、リスト端末２とペアリング状態にあるとき、当該リスト端末２にてアイコンが指定されるとこれに応答して、前記ＳＮＳサイト１０にログインするアプリケーションが含まれている。また、リスト端末２から任意のアプリケーションプログラムの起動を可能とする所定のアプリケーションプログラム（以下、クイック起動アプリと称す。）も含まれている。
【００１６】
制御プログラム１０７１はスマートフォン１全体を制御する基本的な制御プログラムであり、ペアリングプログラム１０７２は任意のリスト端末２とのペアリング（認証手続）を成立させるためのプログラムである。なお、制御プログラム１０７１には、メールの作成、及び送受信を行うメールプログラムが含まれる。
【００１７】
１０８はリスト端末２との間で、近距離無線通信によるデータの送受信を行う無線Ｉ／Ｆである。１０９はＷｉ−Ｆｉなどでインターネット５００上のサーバー１１とのリンクを行う通信Ｉ／Ｆである。サーバー１１には各種のアプリケーションプログラム（以下、単にアプリケーションという。）を提供する所謂アプリストアが含まれ、プログラムメモリ１０７には、係るサーバー１１からダウンロードされたアプリケーションが含まれる。
【００１８】
１１０はＧＰＳ（Global Positioning System）であり、１１１は速度センサである。ＧＰＳ１１０は、複数の測位衛星（ＧＰＳ衛星）から送られてくる電波をＧＰＳ受信アンテナにより受信することによって、現在位置を示す緯度・経度からなる位置データを取得してＣＰＵ１０３に供給する。速度センサ１１１は、当該スマートフォン１を携帯して移動するユーザの移動速度を検出して、ＣＰＵ１０３に供給する。
【００１９】
なお、スマートフォン１は、電話通信を行うため、入力された音声を変調して送信する音声入力回路、送信回路、及び受信した音声信号を受信して復号再生する受信回路、再生回路等を有するが、これら周知の回路については、図示及び説明を省略する。
【００２０】
図４は、リスト端末２の回路構成を示す概略ブロック図である。リスト端末２は、時計部２１１、及び優先度テーブル２１３を有する点以外は、スマートフォン１とほぼ同様の構成であるが、全体としてスマートフォン１よりも小型である。すなわち、２０２は、前記表示部でありＬＣＤとこれを駆動する駆動回路等から構成されており、表示面積はスマートフォン１の表示部１０２よりも少ない。２０４は、表示部２０２の表示状態を制御する表示制御部である。２０５は、入力部であり、各種キーやスイッチを有して構成され、また、前記タッチパネル２０３も含まれる。
【００２１】
２０６は、ＣＰＵであり、リスト端末２全体を制御する。２０７はプログラムメモリであり、制御プログラム２０７１及びペアリングプログラム２０７２が予め記憶されている。制御プログラム２０７１はリスト端末２全体を制御する基本的な制御プログラムであり、ペアリングプログラム２０７２はスマートフォン１とのペアリング成立させるためのプログラムである。２０８はスマートフォン１との間で、前記無線によるリンクを行う無線Ｉ／Ｆである。
【００２２】
２０９は、ペアリング先情報メモリであり、ペアリングが行われた前記スマートフォン１に記憶されているアプリケーションに関する情報（以下、アプリケーション情報という。）、つまり前記スマートフォン１が有する機能に関する情報等を記憶するメモリである。
【００２３】
２１０はＧＰＳ、２１１は速度センサ、２１３は優先度テーブルである。ＧＰＳ２１０は、複数の測位衛星（ＧＰＳ衛星）から送られてくる電波をＧＰＳ受信アンテナにより受信することによって、現在位置を示す緯度・経度からなる位置データを取得してＣＰＵ２０６に供給する。速度センサ２１１は、当該リスト端末２を装着して移動するユーザの移動速度を検出して、ＣＰＵ２０６に供給する。
【００２４】
したがって、ＣＰＵ２０３は速度センサ２１１からの入力により、当該リスト端末２を装着して移動するユーザが移動しているか否か及び移動している場合の移動速度を取得できるのみならず、ＧＰＳ２１０により検出した位置の変化に対応する距離と時間との関係からもユーザが移動しているか否か及び移動している場合の移動速度を取得できる。よって、ユーザの移動の有無及び移動速度を確実に検出することが可能である。また、前述のように、スマートフォン１もＧＰＳ１１０と速度センサ１１１を備えているので、同様の機能を有し、よって、ユーザ移動の有無及び移動速度をより確実に検出することが可能である。
【００２５】
図５は、サーバー１１の回路構成を示す概略ブロック図である。
図において、１０２はＣＰＵであり、システム全体を制御する。１０４はプログラムメモリであり、各種制御プログラムが記憶されている。ＣＰＵ１０２はプログラムメモリ１０４のプログラムを実行することにより各種処理を行う。
【００２６】
１０４１はコース設定プログラムであり、コースを設定するためのプログラムである。コースは、ユーザ自身がリスト端末２を腕に装着して実際に走ったコースをトレースして設定してもよいし、地図上をなぞってコース設定してもよいし、ランドマークを指定してそのランドマークを経由する、あるいは周回する５キロコース、１０キロコースなどの設定を視点もよい。実際の地図と、指定したコースの誤差は公知のマップマッチング技術で修正できる。
【００２７】
１０４２は会員制ＳＮＳプログラムであり、端末２、スマホ端末１、ＰＣ３とコース作成支援に関連する情報の交換を行う際に用いられるプログラムである。
【００２８】
１０６は会員管理部であり、ＳＮＳシステムとして会員を管理する。友人関係もここで管理している。また、プロフィール画像も会員毎に記憶されて管理されている。
【００２９】
１２０は、ユーザが複数回のトレーニングを行って、その結果を後で比較できるように、トレーニングの履歴を保存しておく履歴メモリである。
１３０は各種コースが設定されているコースメモリである。サーバー１１が予め作成した既存のコースが複数用意されている。例えば東京マラソンコース、ホノルルマラソンコース、皇居前ジョギングコース、などであり、これらが設定コースＡ、Ｂ、Ｃ、・・・の１３０Ａ、１３０Ｂ、１３０Ｃ、・・・である。また、ユーザが自分で設定し登録したコースはマイコース１、２、３、・・・の１３０１、１３０２、１３０３、・・・である。リスト端末２で収集した各種データは、サーバー１１へ送られて処理される。
【００３０】
図６は、前述のようにリスト端末２に設けられている優先度テーブル２１３の構成を示す概念図である。この優先度テーブル２１３には、アプリケーションエリア２１３１、第１の所定速度未満回数エリア２１３２、第１の所定速度以上回数エリア２１３３、及び図示を省略した第２の定速度未満回数エリア、第２の所定速度以上回数エリア、第３の定速度未満回数エリア、第３の所定速度以上回数エリアが対応して設けられている。アプリケーションエリア２１３１には、スマートフォン１が実行するアプリケーションの種類（名称）が予め書き込まれている。未満回数エリア２１３２には、対応するアプリケーションのアイコンにタッチされて当該アプリケーションの起動が指示された際におけるユーザの移動速度が所定速度（例えば、１０ｋｍ／ｈ）未満であった場合、１ずつカウントアップされる数値が更新されつつ記憶される。以上満回数エリア２１３３には、対応するアプリケーションのアイコンにタッチされて当該アプリケーションの起動が指示された際におけるユーザの移動速度が前記所定速度以上であった場合、１ずつカウントアップされる数値が更新されつつ記憶される。
【００３１】
すなわち、移動速度が上がるにつれてアイコンを絞っていくわけであるが、その際に残すアイコンの優先度を設定するためのものである。この優先度テーブル２１３は、リスト端末２内、サーバー１１内、あるいはスマートフォン１内に設置することができる。
【００３２】
サーバー１１に設置した場合は、どの速度で移動しているときにどのアイコンが使用される頻度が高いかの情報を統計的に調べて、サーバー１１の優先度テーブル２１３に予め書き込んでおく。その場合は、このサーバー１１が構成するＳＮＳサイト１０に連携しているすべてのリスト端末２において、移動時には同じ優先順位でアイコンの数が絞られていく。
【００３３】
スマホ端末２に設置した場合は、各ユーザのリスト端末２毎に、どの速度で移動しているときにどのアイコンが使用される頻度が高いかの情報を収集して、学習機能によりアイコンを絞る順番を決めていく。これによりユーザ毎の使用頻度の高いアイコンに絞られていく。
【００３４】
更に、仕様設計的観点から、高速でランニングをしているときに使用する可能性の高いアイコンや、ゆっくり歩いて移動しているときに使用する可能性の高いアイコンを選択して、サーバー１１に設置した優先度テーブル２１３に予め書き込んでおいてもよい。
【００３５】
また、前述のように、サーバー１１には、各種コースが設定されているコースメモリ１３０が設けられている。これらのコースによって、ユーザが使用するアイコンの頻度が変わることも考えられる。例えば、記録を重視するコース、極めてハードなコース、のんびり散策を楽しむコースなどがあり、コースの性格によって、記録を重視するコースではたとえ低速時でもカメラアイコンは使用しないが、散策を楽しむコースでは、カメラアイコンを頻繁に使用する等が考えられる。そこで、後述する優先度テーブル２１３を、コース別に設けてもよい。そうすれば、同じユーザが同じリスト端末２を装着してトレーニングする際に、移動速度の増減に応じて表示されるアイコンが、選択したコースに適したものとなる効果がある。
【００３６】
図７は、スマートフォン１においてユーザにより、前述したクイック起動アプリが起動されたときのスマートフォン１とリスト端末２との動作を示すフローチャートである。
【００３７】
図７（ａ）に示したように、スマートフォン１は、クイック起動アプリの起動とともに動作を開始するとともに、それが初回の起動時でなければ（ステップＳＡ１：ＮＯ）、直ちに表示部１０２にホーム画面を表示する（ステップＳＡ４）。なお、ホーム画面は、プログラムメモリ１０７に記憶されている複数のアプリケーションプログラム１０７３に対応する複数のアイコン等が配置された画面である。
【００３８】
また、それが初回の起動時である場合には（ステップＳＡ１：ＹＥＳ）、リスト端末２との間でペアリング処理を行う（ステップＳＡ２）。ここで、初回の起動時とは、スマートフォン１にリスト端末２が認証端末として登録されていない状態でのクイック起動アプリの起動時である。これと対応し、図７（ｂ）に示したように、リスト端末２においても電源がオン状態であり、かつスマートフォン１におけるクイック起動アプリの初回の起動時には（ステップＳＢ１：ＹＥＳ）、スマートフォン１との間でペアリング処理を行う（ステップＳＢ２）。
【００３９】
すなわち、本実施形態においてはスマートフォン１がマスターとして動作し、リスト端末２がスレーブとして動作することにより、両者間でペアリングが行われる。
【００４０】
図８は、本実施の形態におけるスマートフォン１とリスト端末２とのペアリング処理を示すフローチャートである。同図（ａ）に示すように、スマートフォン１は、ブルートゥース（登録商標）（もしくはＷｉ−Ｆｉ）が環境設定されて、近接無線が可能な状態において、直近のリスト端末２を探索する（ステップＳＡ１０１）。
【００４１】
一方、図８（ｂ）に示すように、リスト端末２も、ブルートゥース（登録商標）（もしくはＷｉ−Ｆｉ）が環境設定されて、近接無線が可能な状態において、近くのスマホを探索する（ステップＳＢ１０１）。この時、ペアリングされていない当該ユーザのスマートフォン１とリスト端末２とが近接していると、スマートフォン１とリスト端末２とは、それぞれ近接無線での送信と受信とを繰り返し、近くの相手機器を探索する。
【００４２】
近くの相手機器の探索を完了したならば、スマートフォン１はリスト端末２に接続要求を送信し（ステップＳＡ１０２、図２（１））、リスト端末２はスマートフォン１に接続要求を送信する（ステップＳＢ１０２、図２（２））。そして、これら各機器から接続要求による相互通信が確立したか否かをそれぞれ判断する（ステップＳＡ１０３，ＳＢ１０３）。接続要求による相互通信が確立したならば（ステップＳＡ１０３：ＹＥＳ）、スマートフォン１はリスト端末２にペアリング完了通知を発行する（ステップＳＡ１０４、図２（３））。リスト端末２は、スマートフォン１からのペアリング完了通知の受信の有無を判断する（ステップＳＢ１０４）。
【００４３】
リスト端末２は、スマートフォン１との相互通信が確立した後（ステップＳＢ１０３：ＹＥＳ）、ペアリング完了通知を受信したならば（ステップＳＢ１０４：ＹＥＳ）、パスキーを生成して表示部２０２に、例えば３０秒間表示する（ステップＳＢ１０５、図２（４））。スマートフォン１及びリスト端末２のユーザは、このリスト端末２の表示部２０２に表示されたパスキーを視認して、スマートフォン１の入力部１０５が有するキーを操作し、パスキーを入力する。これにより、スマートフォン１の入力部１０５は操作されたキーに応じたパスキーをＣＰＵ１０６に入力する（ステップＳＡ１０５）。
【００４４】
引き続き、スマートフォン１は、入力されたパスキーが入力条件を満たしているか否かを判断する。ここで、入力条件とは、図２（５）に記載したように、例えば発行されたパスキーを３０秒以内に入力したかである。なお、入力制限回数は３回までである。そして、これらの入力条件を満たしていない場合には（ステップＳＡ１０６：ＮＯ）、ステップＳＡ１０１に戻る。
【００４５】
一方、入力条件を満たしている場合には（ステップＳＡ１０６：ＹＥＳ）、接続完了し（ステップＳＡ１０７）、これによりパスキーを識別情報として、ペアリング（相互認証）されたスマートフォン１とリスト端末２とが互いに通信接続可能なように通信設定が自動的に行われる。
【００４６】
引き続き、上述したペアリングが終了すると、スマートフォン１は、アプリケーション情報をリスト端末２へ送信する（ステップＳＡ３）。リスト端末２へ送信されるアプリケーション情報は、スマートフォン１のプログラムメモリ１０７に記憶されている複数のアプリケーションプログラム１０７３に関する情報であり、各アプリケーションの識別情報及びアイコンデータ（画像データ）である。
【００４７】
しかる後、スマートフォン１は、表示部１０２にホーム画面を表示する（ステップＳＡ４）。以後、スマートフォン１においては、クイック起動アプリがバックグラウンドで動作しており、他の動作と並行して、後述するステップＳＡ５以降の動作を行う。
【００４８】
一方、リスト端末２は、待機状態にある間にスマートフォン１から上記のアプリケーション情報が送信されると、それをペアリング先情報メモリ２０９に記憶する（ステップＳＢ３）。しかる後、リスト端末２は、図９（ａ）に示したホーム画面２０２１を表示部２０２に表示する（ステップＳＢ４）。
【００４９】
図９はリスト端末２の表示部２０２の表示画面の一例を示すものである。同図（ａ）はホーム画面の状態である。以下にフローチャートに沿って説明していくように、同図（ａ）（ｂ）（ｃ）（ｄ）のように移動速度の増大に応じてアイコンの表示数を減らし、且つ表示サイズを大きくしている。
【００５０】
リスト端末２のホーム画面２０２１は、スマートフォン１のホーム画面（図示せず）と同様であり、９種のアプリケーションを示す９個のアイコンＡ〜Ｉが配置された画面である。各アイコンＡ〜Ｉは、ペアリング先情報メモリ２０９に記憶されているアプリケーション情報に含まれるアイコンデータに基づくものである。
【００５１】
なお、リスト端末２に表示される複数のアイコンＡ〜Ｉは、スマートフォン１のホーム画面に表示されるアイコンの中から選択的に表示される。その際、表示スペースの関係でホーム画面２０２１に配置できないアイコンが存在する状態においては、ユーザによる所定の操作に応じ、スマートフォン１のホーム画面に配列されるアイコン群を、ホーム画面２０２１にグループ毎（例えば３つずつ）順に切り替えて表示する。なお、リスト端末２の表示画面における複数のアイコンはスクロール可能としてもよい。つまり、ユーザによる所定の操作に応じ１つずつ順に切り替えて表示してもよい。
【００５２】
また、リスト端末２は、スマートフォン１におけるクイック起動アプリの起動が初回でない場合（ステップＳＢ１：ＮＯ）、つまり既にペアリング先情報メモリ２０９にアプリケーション情報が記憶され、かつスマートフォン１とペアリングされている場合には、電源オンとともに直ちに上記のホーム画面２０２１を表示部２０２に表示する。
【００５３】
その後、リスト端末２は、ユーザによって、ホーム画面２０２１に配置された任意のアイコンが選択されたか否かを随時確認する（ステップＳＢ５）。ここで、ユーザによるアイコンの選択は、図９（ａ）に示したようにホーム画面２０２１（タッチパネル２０３）をワンタッチすることにより行われる。
【００５４】
そして、任意のアイコンが選択されると（ステップＳＢ５：ＹＥＳ）、リスト端末２は、速度センサ２１１によって検出されたその時の移動速度を取得する（ステップＳＢ６）。  引き続き、アイコンに対応するアプリケーションの起動命令を、そのアプリケーションの識別情報と共にスマートフォン１へ送信する（ステップＳＢ７）。すなわちアイコンに対応するアプリケーションの起動を指示する起動指示信号をスマートフォン１へ送信する。
【００５５】
一方、スマートフォン１は、例えばステップＳＡ４でホーム画面を表示した後、スリープモードに移行していない間については（ステップＳＡ５：ＮＯ）、そのままクイック起動アプリによる動作は何もせずに待機となる。
【００５６】
また、スマートフォン１は、例えばユーザによる操作に伴い、又は一定時間操作がないことに伴いスリープモードに移行している間、つまりホーム画面の表示を停止している間については（ステップＳＡ５：ＹＥＳ）、リスト端末２からの起動命令の受信の有無を逐次確認する（ステップＳＡ６）。
【００５７】
そして、スマートフォン１は、リスト端末２から上記の起動命令を受信すると（ステップＳＡ６：ＹＥＳ）、それに応答しリスト端末２へ起動報告を送信した後（ステップＳＡ７）、直ちにスリープモードを終了（解除）して、ホーム画面の表示を再開する（ステップＳＡ８）。しかる後、スマートフォン１は、起動命令とともに送られた識別情報により示されるアプリケーションを起動する（ステップＳＡ９）。
【００５８】
すなわち、スマートフォン１は、リスト端末２から上記の起動命令を受信すると、その時点でセキュリティロック機能が有効となっている場合には、それを解除した上で、スリープモードを終了するとともに、ユーザに指定された特定のアプリケーションによる動作を開始する。その後、スマートフォン１はステップＳＡ５の動作に戻る。以後、スマートフォン１は、任意の時点でスリープモードに移行した後には、ステップＳＡ７〜ステップＳＡ９に動作を繰り返し行う。
【００５９】
他方、リスト端末２においては、スマートフォン１から前述した起動報告を受信すると（ステップＳＢ８：ＹＥＳ）、ユーザに自己が選択したアプリケーションがスマートフォン１において起動したことを知らせる確認メッセージを表示部１０２に表示する（ステップＳＢ９）。以後、リスト端末２はステップＳＢ５へ戻り、前述した動作を繰り返す。
【００６０】
なお、ここでは、便宜上、スマートフォン１から起動報告が常に受信できることを前提としたが、例えばスマートフォン１と通信不能である場合等のように起動報告が受信できない場合においては、リスト端末２がアプリケーションの起動命令を繰り返し送信する。そして、起動命令を送信回数が所定回数に達してもスマートフォン１から上記の起動報告が受信できない場合、リスト端末２は、その旨をユーザに知らせるエラーメッセージを表示部１０２に表示する。
【００６１】
しかる後に、リスト端末２は、優先度テーブル２１３を更新する（ステップＳＢ１０）。すなわち、優先度テーブル２１３から、ステップＳＢ５で選択が確認されたアプリケーションを検索し、前記ステップＳＢ６で取得した速度が所定速度未満であるならば、対応する未満回数エリア２１３２の値をカウントアップさせ、所定速度以上であるならば、対応する以上回数エリア２１３３の値をカウントアップさせる。したがって、以上回数エリア２１３３の数値が大きいほど、所定速度以上で使用される可能性が高いアプリケーションであり、所定速度以上で使用する優先度が高いアプリケーションであることを示す。
【００６２】
以上のように本実施形態のシステムにおいては、スマートフォン１とリスト端末２とがペアリングされると、スマートフォン１が有するアプリケーションの情報がリスト端末２によって取得される。これにより、ユーザは、リスト端末２においてスマートフォン１が有する任意のアプリケーションを起動対象として選択することができる。
【００６３】
そして、ユーザは、スマートフォン１がスリープ状態にある間には、リスト端末２において所望のアプリケーションの起動を指示することにより、スマートフォン１にスリープモードを終了させるとともに指定したアプリケーションを起動させることができる。
【００６４】
さらに、セキュリティロック機能が有効となっている場合には、それを解除した上で、スマートフォン１にスリープモードを終了させるとともに指定したアプリケーションを起動させることができる。
【００６５】
したがって、ユーザは、スマートフォン１をカバンやポケット等から取り出して使用する際、つまり所望のアプリケーションを使用する際、ユーザは、スリープ状態を解除してホーム画面を表示させる操作、さらに、場合によってはパスワード等の入力といった煩雑な作業を行うことなく、リスト端末２から瞬時に所望のアプリケーションを起動させることができる。よって、本実施形態のシステムによれば、スマートフォン１の使用時における起動性能を高めることができる。
【００６６】
図１０は、本実施の形態において、リスト端末２のＣＰＵ２０６が所定時間毎に割り込んで実行するタイマーインタラプトルーチンを示すフローチャートである。ＣＰＵ２０６は、速度センサ２１１からの信号に基づき、移動速度が検出されたか否かを判断する（ステップＳＢ２０１）。移動速度が検出されない場合、つまりリスト端末２を装着したユーザが静止している場合には、ホーム画面２０２１を表示させる（ステップＳＢ２０２）。このホーム画面２０２１は、図９（ａ）をもって前述したように、９種のアプリケーションを示す９個のアイコンＡ〜Ｉが配置された画面である。
【００６７】
しかし、ステップＳＢ２０１での判断の結果、ユーザが移動している場合には、速度センサ２１１で検出したユーザの速度が第１の所定速度未満であるか否かを判断する（ステップＳＢ２０３）。第１の所定速度未満であり、ユーザが低速でゆっくりと移動している場合にも、ホーム画面２０２１を表示する（ステップＳＢ２０４）。
【００６８】
これに対し、検出したユーザの速度が第１の所定速度以上であり、ユーザがランニング等で比較的高速で移動している場合には、その速度が第２の所定速度未満（第１の所定速度＜第２の所定速度）であるか否かを判断する（ステップＳＢ２０５）。このステップＳＢ２０５の判断がＹＥＳであって、ユーザの速度が第１の所定速度以上かつ第２の所定速度未満である場合には、優先度１〜４のアイコンを表示する（ステップＳＢ２０６）。つまり、前述のように、以上回数エリア２１３３の数値が大きいほど、所定速度以上で使用される可能性が高いアプリケーションであり、所定速度以上で使用する優先度が高いアプリケーションであることを示す。したがって、優先度１〜４のアイコンとは、以上回数エリア２１３３の数値が最も多い１番のアプリケーションに対応するアイコン、及びこれに続く２、３、４番のアプリケーションに対応するアイコンである。
【００６９】
よって、ステップＳＢ２０５での処理により、図９（ｂ）に例示するように、４個のアイコンＡ，Ｂ，Ｄ，Ｈが表示されることとなる。なお、ステップＳＢ２０５での表示処理に際しては、図示のように、各アイコンＡ，Ｂ，Ｄ，Ｈが重ならず、かつその一部が表示部２０２外に突出しない範囲において、拡大して表示させる。したがって、スマートフォン１よりも小型のリスト端末２が有する表示部２０２で表示するアイコンに対するユーザの移動中における操作性を向上させることが可能となる。よって、ユーザは小さい表示面積の表示部２０２であっても、所望のアイコンに容易かつ確実にタッチして、対応するアプリケーションの起動をスマートフォン１に指示することできる。
【００７０】
しかも、４個のアイコンＡ，Ｂ，Ｄ，Ｈは、ユーザが所定速度で移動中において使用頻度が高いアプリケーションに対応することから、ウォーキングやランニング時においてこれに関連しユーザが必要とするアプリケーションを迅速かつ確実に起動させることが可能となる。
【００７１】
また、ステップＳＢ２０５の判断がＮＯであって、検出したユーザの速度が第２の所定速度以上であり、ユーザがランニング等でより高速で移動している場合には、その速度が第３の所定速度未満（第２の所定速度＜第３の所定速度）であるか否かを判断する（ステップＳＢ２０７）。このステップＳＢ２０７の判断がＹＥＳであって、ユーザの速度が第２の所定速度以上かつ第３の所定速度未満である場合には、優先度１、２のアイコンを表示する（ステップＳＢ２０８）。つまり、前述と同様に、優先度１、２のアイコンとは、以上回数エリア２１３３の数値が最も多い１番のアプリケーションに対応するアイコン、及びこれに続く２番のアプリケーションに対応するアイコンである。
【００７２】
よって、ステップＳＢ２０８での処理により、図９（ｃ）に例示するように、２個のアイコンＡ，Ｂが表示されることとなる。なお、ステップＳＢ２０８での表示処理に際しても、図示のように、各アイコンＡ，Ｂが重ならず、かつその一部が表示部２０２外に突出しない範囲において、拡大して表示させる。したがって、スマートフォン１よりも小型のリスト端末２が有する表示部２０２で表示するアイコンに対するユーザの移動中における操作性を向上させることが可能となる。よって、ユーザは小さい表示面積の表示部２０２であっても、所望のアイコンに容易かつ確実にタッチして、対応するアプリケーションの起動をスマートフォン１に指示することできる。
【００７３】
しかも、２個のアイコンＡ，Ｂは、ユーザが所定速度で移動中において使用頻度が高いアプリケーションに対応することから、ウォーキングやランニング時においてこれに関連しユーザが必要とするアプリケーションを迅速かつ確実に起動させることが可能となる。
【００７４】
また、ステップＳＢ２０７の判断がＮＯであって、検出したユーザの速度が第３所定速度以上であり、ユーザがランニング等でより高速で移動している場合には、優先度１のアイコンを表示する（ステップＳＢ２０９）。つまり、前述と同様に、優先度１のアイコンとは、以上回数エリア２１３３の数値が最も多い１番のアプリケーションに対応するアイコンである。
【００７５】
よって、ステップＳＢ２０８での処理により、図９（ｄ）に例示するように、２個のアイコンＡ，Ｂが表示されることとなる。なお、ステップＳＢ２０８での表示処理に際しても、図示のように、各アイコンＡの一部が表示部２０２外に突出しない範囲において、拡大して表示させる。したがって、スマートフォン１よりも小型のリスト端末２が有する表示部２０２で表示するアイコンに対するユーザの移動中における操作性を向上させることが可能となる。よって、ユーザは小さい表示面積の表示部２０２であっても、所望のアイコンに容易かつ確実にタッチして、対応するアプリケーションの起動をスマートフォン１に指示することできる。
【００７６】
しかも、１個のアイコンＡは、ユーザが所定速度で移動中において最も使用頻度が高いアプリケーションに対応することから、ウォーキングやランニング時においてこれに関連しユーザが必要とするアプリケーションを迅速かつ確実に起動させることが可能となる。
【００７７】
図１１は、図１０に示した本実施の形態に係るタイマーインタラプトルーチンの実行により表示されるリスト端末２の他の表示形態を示す表示遷移図である。つまり、図１０の
タイマーインタラプトを実行した場合と同様に、ユーザの速度との関係において下記のようにアイコンを表示する。
（１）第１の所定速度未満である場合には、ホーム画面（図１１（ａ））
（２）第１の所定速度以上、第２の所定速度未満である場合には、優先順位１〜４のアイコン（同図（ｂ））
（３）第２の所定速度以上、第３の所定速度未満である場合には、優先順位１、２のアイコン（同図（ｃ））
（４）第３の所定速度以上である場合には、優先順位１のアイコン（同図（ｄ））
【００７８】
しかし、この表示形態においては、アイコンの大きさ（面積）は変えずに、表示個数を移動速度に応じて減らしていく。よって、アイコンの大きさが小さいままでも、画面中の表示個数が少なくなれば、スペースに余裕ができるのでタッチ操作はし易くなる。
【００７９】
また、第１未満、第１〜第２、第２〜第３、第３以上の各所定速度条件内ではアイコンの表示は変化しないことから、アイコンの表示態様が頻繁に変わってしまことなく、多少のヒステリシスを持たせることができる。よって、アイコンの表示態様が頻繁に変わってしまうことによる視認性の悪化を未然に防止することができる。
【００８０】
図１２は、本発明の第２の実施の形態において、リスト端末２のＣＰＵ２０６が所定時間毎に割り込んで実行するタイマーインタラプトルーチンを示すフローチャートである。ＣＰＵ２０６は、速度センサ２１１からの信号に基づき、移動速度が検出されたか否かを判断する（ステップＳＢ３０１）。移動速度が検出されない場合、つまりリスト端末２を装着したユーザが静止している場合には、ホーム画面２０２１を表示させる（ステップＳＢ３０２）。
【００８１】
しかし、ステップＳＢ３０１での判断の結果、ユーザが移動している場合には、速度センサ２１１で検出した速度に応じて大きさでアイコンを拡大表示させる（ステップＳＢ３０３）。この拡大表示させるアイコンは、前述の実施の形態と同様に優先度の高いアイコンとする。次に、このステップＳＢ３０３で拡大表示の結果、全体が表示部２０２内に収まらなくなったアイコンを消去する（ステップＳＢ３０４）。したがって、この実施の形態においても、図９（ｂ）に例示するように、全体が表示部２０２内に収まり拡大された４個のアイコンＡ，Ｂ，Ｄ，Ｈが表示されることとなる。
【００８２】
しかも、本実施の形態においてアイコンＡ，Ｂ，Ｄ，Ｈは、ユーザの移動速度に応じたサイズで表示されることから、ユーザがどのような速度で移動中であっても適切なサイズのアイコンを全体表示させることが可能となる。
【００８３】
なお、電車で移動中の時や、車で移動中の時は、移動速度がかなり速く検出される可能性がある。そこで、所定速度以上を検出したときは、自力走行ではないと判断し、静止時と同じアイコンを表示するようにする。
【００８４】
また、腕の振りを速度センサ１１１又は２１１が検出して、移動していると誤検出しないように、ＧＰＳ１１０又は２１１により、位置の変化が検出されない場合は、移動していないものとみなす。すなわち、本実施の形態において移動速度検知手段は、位置の変化も同時に検知している。
【００８５】
図１３は、本発明の第３の実施の形態において、リスト端末２のＣＰＵ２０６が所定時間毎に割り込んで実行するタイマーインタラプトルーチンを示すフローチャートである。ＣＰＵ２０６は、速度センサ２１１からの信号に基づき、移動速度が検出されたか否かを判断する（ステップＳＢ４０１）。移動速度が検出されない場合、つまりリスト端末２を装着したユーザが静止している場合には、ホーム画面２０２１を表示させる（ステップＳＢ４０２）。このホーム画面２０２１は、図１４（ａ）に示すように、２種のアプリケーションを示す２個のアイコンＡ、Ｂが配置され、対応するタイトル（トレーニング開始ボタン）２０２２と機能の説明（途中でタイムやコースを表示できます）２０２３を併記した画面である。
【００８６】
しかし、ステップＳＢ４０１での判断の結果、ユーザが移動している場合には、速度センサ２１１で検出したユーザの速度が第１の所定速度未満であるか否かを判断する（ステップＳＢ４０３）。第１の所定速度未満であり、ユーザが低速でゆっくりと移動している場合にも、ホーム画面２０２１を表示する（ステップＳＢ４０４）。
【００８７】
これに対し、検出したユーザの速度が第１の所定速度（第１のスレッショルド）以上であり、ユーザがランニング等で比較的高速で移動している場合には、その速度が第２の所定速度（第２のスレッショルド）未満（第１の所定速度＜第２の所定速度）であるか否かを判断する（ステップＳＢ４０５）。このステップＳＢ４０５の判断がＹＥＳであって、ユーザの速度が第１の所定速度以上かつ第２の所定速度未満である場合には、図１４（ｂ）に示すように、アイコンＡ、Ｂを図（ａ）のときよりも拡大するとともに、タイトルのみを併記する（ステップＳＢ４０６）。
【００８８】
また、ステップＳＢ４０５の判断がＮＯであって、検出したユーザの速度が第２の所定速度以上であり、ユーザがランニング等でより高速で移動している場合には、その速度が第３の所定速度（第３のスレッショルド）未満（第２の所定速度＜第３の所定速度）であるか否かを判断する（ステップＳＢ４０７）。このステップＳＢ４０７の判断がＹＥＳであって、ユーザの速度が第２の所定速度以上かつ第３の所定速度未満である場合には、図１４（ｃ）に示すように、アイコンＡ、Ｂを図（ｂ）のときよりも拡大するとともに、アイコンのタイトルを簡略化した簡略タイトル２０２４を併記する（ステップＳＢ４０８）。
【００８９】
また、ステップＳＢ４０７の判断がＮＯであって、検出したユーザの速度が第２の所定速度以上であり、ユーザがランニング等でより高速で移動している場合には、図１４（ｄ）に示すように、アイコンＡ、Ｂを図（ｃ）のときよりも拡大するとともに、アイコンの説明等を一切省略する（ステップＳＢ４０９）。
【００９０】
したがって、本実施の形態によれば、タイトルや機能の説明により、アイコンやこれに対応するアプリケーションの内容を認識しつつ、適正な操作を行うことができる。なお、図１４（ｄ）の表示形態の場合、アイコンの説明を省略しているが、アイコン自体に機能を示唆する絵が描いてあれば、格別混乱することもないと考えられる。
【００９１】
なお、移動速度を検知しなくても、加速度センサの加速度の検出結果のパターンにより、ユーザが止まっている状態か、歩いている状態か、走っている状態かを判別する技術が知られている。
【００９２】
そこで、実際の移動速度を検知しなくても、歩いている状態と判別した時には時速４キロメートル相当の移動速度の時と同じアイコンを選択表示し、走っている状態と判別した時は、時速８〜１０キロメートル相当の移動速度の時と同じアイコンを選択表示することができる。
【００９３】
更に、上述したようにサーバー１１にコースデータ１３０として複数の設定コースやマイコースを登録できる、歩くコース、走るコース、のようなコース設定が成されていれば、例えばマイコース１（１３０１）は時速５キロメートルで歩くコース、マイコース２（１３０２）は時速１２キロメートルで走るコース、のように設定されていれば、実際の移動速度を検知しなくても、マイコース１を選択した時は、時速５キロメートル相当の移動速度の時と同じアイコンを選択表示し、マイコース２を選択した時は、時速１２キロメートル相当の移動速度の時と同じアイコンを選択表示することができる。
【００９４】
なお、実施の形態においては、情報端末として腕に装着可能なリスト端末２を示したが、情報端末は腕に装着するものに限らず、ネックレスタイプ等の首に掛けるタイプ等であてもよい。
【００９５】
以上、本発明の実施形態について説明したが、これらは本発明の作用効果が得られる範囲内であれば適宜変更が可能であり、変更後の実施形態も特許請求の範囲に記載された発明、及びその発明と均等の発明の範囲に含まれる。
以下に、本出願の当初の特許請求の範囲に記載された発明を付記する。
【００９６】
［請求項１］
携帯可能な情報機器と、この情報機器と無線接続可能な通信端末と、サーバーとを含むネットワークシステムにおいて、
前記情報機器は、
移動速度を検知する移動速度検知手段と、
プログラムに対応するアイコンを表示させるとともに、前記移動速度検知手段により検知された移動速度に応じて前記アイコンの表示形態を制御する表示制御手段と、
前記通信端末とペアリング認証処理を行うことによりペアリング状態にあるとき、前記表示されたアイコンを指定することによって当該アイコンに対応するプログラムの起動を前記通信端末に指示する起動指示手段と
を備えることを特徴とするネットワークシステム。
【００９７】
［請求項２］
更に、前記通信端末は前記サーバーが構成する認証を必要とするウエブサイトに接続し、前記情報機器とペアリング状態にあるとき前記情報機器にて前記ウエブサイトにアクセスするためのアイコンが指定されると、これに応答して、前記ウエブサイトに自動ログインするログイン手段を備えることを特徴とする請求項１記載のネットワークシステム。
【００９８】
［請求項３］
前記表示制御手段は、前記移動速度検知手段により検知された移動速度に応じて前記アイコンの大きさ又は数を表示制御することを特徴とする請求項１又は２記載のネットワークシステム。
【００９９】
［請求項４］
携帯可能な情報機器と、この情報機器と無線接続可能な通信端末と、サーバーとを含むネットワークシステムにおいて、
前記情報機器は、
移動速度を検知する移動速度検知手段と、
プログラムに対応するアイコンを表示させるとともに、前記移動速度検知手段により検知された移動速度に応じて前記アイコンの表示形態を制御する表示制御手段を備え、
前記情報機器、通信端末、サーバーのいずれかは、前記各アイコンに対応するプログラムの優先順位情報を記憶する記憶手段を備え、
前記表示制御手段は、前記移動速度検知手段により検知された移動速度と前記優先順位情報とに応じて表示させるアイコンを制御することを特徴とするネットワークシステム。
【０１００】
［請求項５］
移動速度を検知する移動速度検知手段と、
アイコンを表示させるとともに、前記移動速度検知手段により検知された移動速度に応じて前記アイコンの表示形態を制御する表示制御手段と、
前記表示されたアイコンを指定することによって対応するプログラムの起動を指示する起動指示手段と
を備えることを特徴とする情報機器。
【０１０１】
［請求項６］
前記移動速度検知手段は、位置の変化を検知する手段を含み、位置の変化が検出されない場合は、移動速度を検知しないことを特徴とする請求項５記載の情報機器。
【０１０２】
［請求項７］
前記移動速度検知手段は、歩いている状態か走っている状態かを判別する判別手段を含み、実際の移動速度を検知することなく移動速度を推定することを特徴とする請求項５記載の情報機器。
【０１０３】
［請求項８］
該情報機器は、他の機器と無線接続し、
前記起動指示手段は、無線接続された前記他の機器に対して対応するプログラムの起動を指示することを特徴とする請求項５乃至７いずれか記載の情報機器。
【０１０４】
［請求項９］
前記表示制御手段は、前記移動速度検知手段により検知された移動速度が速くなるほど前記表示するアイコンの数を少なく表示又はアイコンを大きく表示することを特徴とする請求項５乃至７いずれか記載の情報機器。
【０１０５】
［請求項１０］
前記表示制御手段は、前記移動速度検知手段により検知された移動速度の増加に応じて、移動速度をスレッショルドと比較することにより段階的にアイコンの数を少なく表示又はアイコンを大きく表示することを特徴とする請求項５乃至１０いずれか記載の情報機器。
【０１０６】
［請求項１１］
前記表示制御手段は、移動速度をスレッショルドと比較する際、ヒステリシスをもって段階的にアイコンの数を少なく表示又はアイコンを大きく表示することを特徴とする請求項１０記載の情報機器。
【０１０７】
［請求項１２］
前記起動指示手段により起動を指示されるプログラムを記憶するプログラム記憶手段を備えることを特徴とする請求項５乃至１１いずれか記載の情報機器。
【０１０８】
［請求項１３］
前記起動指示手段は、直接または間接的にサーバーと接続し、当該サーバーに対してプログラムの起動を指示することを特徴とする請求項５乃至１１いずれか記載の情報機器。
【０１０９】
［請求項１４］
前記起動指示手段は、無線接続可能な通信端末に対してプログラムの起動を指示することを特徴とする請求項５乃至１１いずれか記載の情報機器。
【０１１０】
［請求項１５］
前記表示制御手段は、前記移動速度検知手段により検知された移動速度が速くなるほど所定の優先順位に沿って前記表示するアイコンの数を減少させるアイコン選択手段を有することを特徴とする請求項５または６記載の情報機器。
【０１１１】
［請求項１６］
前記アイコン選択手段は、アイコンの操作履歴と移動速度の対応関係を記憶し、その記憶結果を基に優先順位を作成してアイコンを減少させる際に表示を継続するアイコンを決定することを特徴とする請求項１５記載の情報機器。
【０１１２】
［請求項１７］
情報機器が有するコンピュータを、
移動速度を検知する移動速度検知手段、
アイコンを表示させるとともに、前記移動速度検知手段により検知された移動速度に応じて前記アイコンの表示形態を制御する表示制御手段、
前記表示されたアイコンを指定することによって対応するプログラムの起動を指示する起動指示手段
として機能させることを特徴とする前記コンピュータ読み取り可能なプログラム。
【０１１３】
［請求項１８］
情報機器と、この情報機器と直接又は通信端末を介して接続されるサーバーとを含むネットワークシステムのサーバーが有するコンピュータを、
前記情報機器の移動速度を検知する移動速度検知手段からの移動速度情報を受信する受信手段、
前記情報機器にアイコンを表示させるとともに、前記移動速度情報に応じて前記アイコンの表示形態を制御する表示制御手段、
前記情報機器に表示されたアイコンが指定された指定信号を受信して対応するプログラムの起動を指示する起動指示手段
として機能させることを特徴とする前記コンピュータ読み取り可能なプログラム。
【０１１４】
［請求項１９］
対応するプログラムの起動を指示するアイコンを表示する情報機器の表示方法であって、
移動速度を検知する移動速度検知ステップと、
前記アイコンを表示させるとともに、前記移動速度検知手段により検知された移動速度に応じて前記アイコンの表示形態を制御する表示制御ステップと、
前記表示されたアイコンを指定することによって対応するプログラムの起動を指示する起動指示ステップと、
を含み、
前記表示制御ステップは、前記移動速度検知ステップにより検知された移動速度が速くなるほど前記表示するアイコンの数を少なく表示又はアイコンを大きく表示するステップを含む
ことを特徴とする表示方法。
【符号の説明】
【０１１５】
１    スマートフォン
２    リスト端末
１０２    表示部
１０３    タッチパネル
１０５    入力部
１０６    ＣＰＵ
２０２    表示部
２０３    タッチパネル
２０５    入力部
２０９    ペアリング先情報メモリ
２１１    時計部
１０７１    制御プログラム
１０７２    ペアリングプログラム
１０７３    アプリケーションプログラム
２０７１    制御プログラム
２０７２    ペアリングプログラム
【図１】
2018014120.tif 000003
【図２】
2018014120.tif 000004
【図３】
2018014120.tif 000005
【図４】
2018014120.tif 000006
【図５】
2018014120.tif 000007
【図６】
2018014120.tif 000008
【図７】
2018014120.tif 000009
【図８】
2018014120.tif 000010
【図９】
2018014120.tif 000011
【図１０】
2018014120.tif 000012
【図１１】
2018014120.tif 000013
【図１２】
2018014120.tif 000014
【図１３】
2018014120.tif 000015
【図１４】
2018014120.tif 000016
【手続補正書】
【提出日】平成29年9月11日(2017.9.11)
【手続補正１】
【補正対象書類名】特許請求の範囲
【補正対象項目名】全文
【補正方法】変更
【補正の内容】
【特許請求の範囲】
【請求項１】
各種アプリケーションの実行を指示可能な情報機器であって、
当該情報機器の移動状態を判別する判別手段と、
前記判別手段で判別された移動状態に対応する移動状態で過去に実行されたアプリケーションのアイコンを特定し、その特定されたアイコンを前記移動状態におけるアプリケーション候補として表示する表示制御手段と、
を具備したことを特徴とする情報機器。
【請求項２】
前記表示制御手段は、複数の移動状態で実行されたアプリケーションを移動状態毎の過去の実行アプリケーションとして記憶する記憶手段を参照することで、前記判別手段で判別された移動状態に対応する移動状態の過去の実行アプリケーションを判別することで、前記アプリケーションのアイコンを特定する、
ことを特徴とする請求項１に記載の情報機器。
【請求項３】
前記表示制御手段は、前記移動状態で過去に実行された複数のアプリケーションの内で実行回数の多いアプリケーションのアイコンを特定する、
ことを特徴とする請求項１又は２に記載の情報機器。
【請求項４】
前記表示制御手段は、前記アプリケーションの候補を、前記判別手段で判別された移動状態に対応する表示形態で表示する、
ことを特徴とする請求項１〜３の何れかに記載の情報機器。
【請求項５】
各種アプリケーションの実行を指示可能な情報機器であって、
当該情報機器の移動状態を判別する判別手段と、
前記判別手段で判別された移動状態に応じて、アプリケーション候補とするアイコンの数を特定し、特定された数のアイコンを抽出して前記移動状態におけるアプリケーション候補として表示する表示制御手段と、
を具備したことを特徴とする情報機器。
【請求項６】
前記表示制御手段は、前記判別手段で判別された移動状態に対応して用意された複数のアプリケーション候補のアイコンの内で、前記特定された数のアイコンを抽出して表示する、
ことを特徴とする請求項５に記載の情報機器。
【請求項７】
前記表示制御手段は、複数の移動状態に対応して複数のアプリケーション候補が用意され、前記判別手段で判別された移動状態に対応する複数のアプリケーション候補のアイコンの内で、前記特定された数のアイコンを抽出して表示する、
ことを特徴とする請求項５又は６に記載の情報機器。
【請求項８】
前記表示制御手段は、前記判別手段で判別された移動状態に応じて特定された数のアイコンを、前記判別手段で判別された移動状態に対応するアイコン表示サイズで表示する、
ことを特徴とする請求項５〜７の何れかに記載の情報機器。
【請求項９】
各種アプリケーションの実行を指示可能な情報機器であって、
当該情報機器の移動状態を判別する判別手段と、
前記判別手段で移動状態を判別しない場合にはホーム画面を表示し、前記移動状態を判別した場合には、前記ホーム画面を前記移動状態で操作可能な操作画面に切り換えて表示する表示制御手段と、
を具備したことを特徴とする情報機器。
【請求項１０】
前記表示制御手段は、前記操作画面の表示後にあって前記判別手段で判別される移動状態の変化を判別した際は、新たな移動状態に対応して操作可能な操作画面を表示する、
ことを特徴とする請求項９に記載の情報機器。
【請求項１１】
前記表示制御手段は、前記判別手段で判別される移動状態で実行可能なアプリケーション候補のアイコンを含む操作画面を表示する、
ことを特徴とする請求項９又は１０に記載の情報機器。
【請求項１２】
前記表示制御手段は、前記判別手段で判別される各移動状態に対応して設定されたアプリケーション候補のアイコンを特定し、その特定されたアイコンを含む操作画面を表示する、
ことを特徴とする請求項１１に記載の情報機器。
【請求項１３】
各種アプリケーションの実行を指示可能な情報機器のコンピュータを制御するためのプログラムであって、
前記コンピュータを、
当該情報機器の移動状態を判別する判別手段、
前記判別手段で判別された移動状態に対応する移動状態で過去に実行されたアプリケーションのアイコンを特定し、その特定されたアイコンを前記移動状態におけるアプリケーション候補として表示する表示制御手段、
として機能させるようにしたプログラム。
【請求項１４】
各種アプリケーションの実行を指示可能な情報機器のコンピュータを制御するためのプログラムであって、
前記コンピュータを、
当該情報機器の移動状態を判別する判別手段、
前記判別手段で判別された移動状態に応じて、アプリケーション候補とするアイコンの数を特定し、特定された数のアイコンを抽出して前記移動状態におけるアプリケーション候補として表示する表示制御手段、
として機能させるようにしたプログラム。
【請求項１５】
各種アプリケーションの実行を指示可能な情報機器のコンピュータを制御するためのプログラムであって、
前記コンピュータを、
当該情報機器の移動状態を判別する判別手段、
前記判別手段で移動状態を判別しない場合にはホーム画面を表示し、前記移動状態を判別した場合には、前記ホーム画面を前記移動状態で操作可能な操作画面に切り換えて表示する表示制御手段と、
として機能させるようにしたプログラム。
【手続補正３】
【補正対象書類名】明細書
【補正対象項目名】０００１
【補正方法】変更
【補正の内容】
【０００１】
本発明は、情報機器、及びプログラムに関する。
【手続補正４】
【補正対象書類名】明細書
【補正対象項目名】０００６
【補正方法】変更
【補正の内容】
【０００６】
本発明は、ユーザの移動中における情報機器に対する操作性を向上させることを目的とする。
【手続補正５】
【補正対象書類名】明細書
【補正対象項目名】０００７
【補正方法】変更
【補正の内容】
【０００７】
請求項１は、各種アプリケーションの実行を指示可能な情報機器であって、当該情報機器の移動状態を判別する判別手段と、前記判別手段で判別された移動状態に対応する移動状態で過去に実行されたアプリケーションのアイコンを特定し、その特定されたアイコンを前記移動状態におけるアプリケーション候補として表示する表示制御手段と、を具備したことを特徴とする。
請求項５は、各種アプリケーションの実行を指示可能な情報機器であって、当該情報機器の移動状態を判別する判別手段と、前記判別手段で判別された移動状態に応じて、アプリケーション候補とするアイコンの数を特定し、特定された数のアイコンを抽出して前記移動状態におけるアプリケーション候補として表示する表示制御手段と、を具備したことを特徴とする。
請求項９は、各種アプリケーションの実行を指示可能な情報機器であって、当該情報機器の移動状態を判別する判別手段と、前記判別手段で移動状態を判別しない場合にはホーム画面を表示し、前記移動状態を判別した場合には、前記ホーム画面を前記移動状態で操作可能な操作画面に切り換えて表示する表示制御手段と、を具備したことを特徴とする。
【手続補正６】
【補正対象書類名】明細書
【補正対象項目名】０００８
【補正方法】変更
【補正の内容】
【０００８】
本発明によれば、ユーザの移動中における情報機器に対する操作性を向上させることが可能となる。